(57)【要約】      （修正有）【課題】軽くて体に過度の負担が掛からず、正しい姿勢を保つのを補助する社交ダンス用姿勢矯正用具を提供する。【解決手段】ゴムベルトを∞記号の形状に組み合わせ、その左右に生じる各ループの下部にそれぞれ端末部材を取り付け、該左右の端末部材には紐帯の先に上記のように組み合わせたゴムベルトとズボンとを系合するための系合部材を取り付けた物を、それぞれ２個宛取り付け、その一方はズボンの真横上部に系合させ、他の一方は上記よりも１０ｃｍ内外の間隔を開けて、ズボンの真横よりも後ろ側の上部に系合させる構成を有することを特徴とする。【選択図】図３
0003154075.tif 000002
【実用新案登録請求の範囲】
【請求項１】
ゴムベルトを∞記号のような形状に組み合わせ、その左右に生じる各ループの下部にそれぞれ端末部材を取り付け、該それぞれの端末部材には短い紐帯の先端にズボンの上部と系合するための系合部材を取り付けた物を、それぞれ２個宛取り付け、該先端に系合部材を取り付けた２個の紐帯の一方はズボンの横上部に系合させると共に、他の一方は上記よりも１０ｃｍ内外の間隔をあけて、ズボンの真横よりも後ろ側の上部に系合させる構成を有することを特徴とする社交ダンス用姿勢矯正ベルト。
【請求項２】
∞記号の形状に組み合わせたゴムベルトの端末部材には、ゴムベルトを折り返すための環を設け、この環を潜ってゴムベルトを折り返し、折り返したゴムベルトの端部にはゴムベルト本体と系合させるためのストッパーを取り付け、該ストッパーの位置を調整することによって上記ゴムベルトを折り返す部分の長さを調整できる構成にした、請求項１記載の社交ダンス用姿勢矯正ベルト。
【請求項３】
∞記号の形状に組み合わせたゴムベルトの、人の背中部分でゴムベルトが交差する箇所には、上方に１個、下方の左右にそれぞれ１個のゴムベルトを通す穴を有するベルト交差位置調整部材を介在させ、該止め金具の上方の１個の穴には∞記号状に組み合わせたゴムベルトの左右の上部を通し、該止め金具の下方の左右の穴には∞記号状に組み合わせたゴムベルトの下方に向かう部分を通したことを特徴とする請求項１ないし２記載の社交ダンス用姿勢矯正ベルト。
【考案の詳細な説明】
【技術分野】
【０００１】  本考案は、社交ダンスを踊る人（以下、社交ダンスを踊る人のことを単に「人」と略称する）の姿勢を矯正するための用具に係る物であり、特に∞記号の形状に組み合わせたゴムバンドを用いて、人が猫背になるのを防止すると共に、人の上半身が前屈みになるのを防止するために、人の上半身を後ろに牽引する構造を備えた社交ダンス用姿勢矯正ベルトに関する。
【背景技術】
【０００２】  社交ダンスにおいて、人は背筋を伸ばし、良い姿勢を保つことが必須であるが、ともすれば人の姿勢が猫背状になるので、これを矯正するために、ゴムバンドを襷状にかけて、人の胸部を後ろに反らすようにしたものは、ダンス愛好者の一部で用いられていた。【０００３】  しかし、これだけでは、人の姿勢が猫背になるのは防止できるが、人の上半身が前屈みになることは防止できなかった。
【先行技術文献】
【特許文献】
【０００４】  先行技術の特許文献は見当たりません。
実用新案の文献としては、本件考案者の一人である藤田昌邦の考案に係る次の文献があります。
【非特許文献１】
【０００５】実用新案公報（Ｙ２）平５−２２２０８実用新案出願広告
【考案の概要】
【考案が解決しようとする課題】
【０００６】  上記のように人の姿勢が猫背になるのを防止するために、ゴムバンドを襷状にかけるものはあったが、これでは人の胸部が猫背になるのは防止できたが、上半身が前屈みになるのは防止できなかったので、人の上半身を後方に反らせるような装置の考案が課題として残っていた。
【課題を解決するための手段】
【０００７】  考案者らは上記課題を下記の手段によって解決した。
（１）ゴムベルトを∞記号の形状に組み合わせ、左右に生じたの各ループの下部にそれぞれ端末部材を取り付け、該それぞれの端末部材には、短い紐帯の先端にズボンの上部と系合するための系合部材を取り付けた物を、それぞれ２個宛取り付け、該先端に系合部材を取り付けた２個の紐帯の一方はズボンの横上部に系合させると共に、他の一方は上記よりも１０ｃｍ内外の間隔を開けてズボンの後ろ上部と系合させる構成にしたこと。【０００８】  （２）上記∞記号の形状に組み合わせたゴムベルトの要部において、ゴムベルトを折り返し、折り返したゴムベルトの端部にストッパーを取り付けて、該ストッパーの位置を調整することによって上記ゴムベルトを折り返す部分の長さを調整し、ゴムベルトの長さ及び、ゴムベルトが収縮しようとする力によって生じる牽引力を調整できるように構成したこと。【０００９】  （３）ゴムベルトを∞記号の形状に組み合わせたことによって生じた中央のゴムベルトが交差する位置には、上方に１個、下方の左右にはそれぞれ１個、すなわち合計３個の、ゴムベルトを通す穴を有するベルト交差位置調整部材を介在させ、該調整部材の上方の１個穴には∞記号の形状に組み合わせたゴムベルトの左右の上方部を通し、該止め金具の下方の左右に設けた２個の穴には、∞記号の形状に組み合わせたゴムバンドの片方の下側をそれぞれ通す構成したこと。
【考案の効果】
【００１０】  本考案の社交ダンス用姿勢矯正バンドによれば、下記のような効果が発揮される。
（１）本考案の社交ダンス用姿勢矯正ベルトは、図１に示すようにゴムベルトを∞記号の形状に組み合わせることによって、左右に生ループが生じるから、図３に示すようにゴムベルトが交差している部分を後ろ側にして上記左右の各ループに人の両肩を入れれば、ゴムバンドが収縮しようとする力によって、人の胸部を後ろに反らす力が働き、猫背になるのが防止される。【００１１】  しかも、左右各端末部材には、短い紐帯の先にズボンの上部と系合させるための部材を取り付けた物を、それぞれ２個宛取り付けてあるから、その一方をズボンの横部の上部に系合させ、他の一方は上記よりも１０ｃｍ内外後ろのズボンの上部に系合させるから、ズボンの横上部だけでなく、ズボンの横後ろ上部も、ゴムベルトの縮小しようとする力によって上半身が後ろに牽引されるから、人の上半身が前屈みになるのを防止されるという効果を奏する。【００１２】  さらに、ズボンの後ろ側だけでなくズボンの横上部も牽引されるから、ズボンの後ろだけが吊り上がって、不体裁になることが防止される。【００１３】  （２）また、上記∞記号の形状に組み合わせたゴムベルトの要部には、ゴムベルトを折り返し、その端部にストッパーを取り付けて、該ストッパーの位置を調整することによって上記ゴムベルトを折り返す部分の長さを調整できるように構成したから、該ゴムベルトを折り返す部分を長く（従って、ゴムベルト全体の長さを短く）すれば、ゴムベルトが収縮しようとする力が強くなり、そのため、人の胸部が猫背になるのを防止したり、上半身が前屈みになるのを防止する力が強くなる。また反対にゴムベルトを折り返す部分を短くすれば、上記と反対に上記の収縮力が弱くなるから、人に窮屈感を与えることが少なくなる。【００１４】  （３）また、図１ないし図３に示すように、人の背中部分でゴムベルトが交差する箇所には、上方に１個、下方の左右にそれぞれ１個のゴムベルトを通す穴を有するベルト交差位置調整部材４を介在させ、該部材の上方の１個の穴には∞記号の形状に組み合わせたゴムベルトの左右の上部を通し、該部材の下の方の穴には∞記号の形状に組み合わせたゴムベルトの片方宛をそれぞれの穴に通す構成にしたから、この止め金具の位置を調整することにより、∞記号の形状に組み合わせたゴムベルトの左右の部分の長さを適正に調整することができ、それによって人の体の左右に加えられるゴムベルトの収縮力を適正に調整することができる。【００１５】  本考案に係る社交ダンス用姿勢矯正ベルトは、上記のように、人の体に重さ等の負担をかけないで、適当な強さで人の姿勢を矯正するものであるから、社交ダンスを踊るときにこれを使用すると、人の姿勢矯正に役立つ。【００１６】  人は日常生活においても、気を付けないでいると、背筋の衰え等によって、ともすれば胸部が猫背になったり、上半身が前屈みになったりするものであるが、普段から、この姿勢矯正ベルトを着用していれば、知らず知らずのうちに、日常の姿勢が正しく矯正されるから、外見上も綺麗に見えると共に、健康の維持にも貢献するものである。
【図面の簡単な説明】
【００１７】
【図１】本考案の社交ダンス用姿勢矯正ベルトの平面図（但し細部の構造は図２の拡大図に譲り、省略した）
【図２】本考案の社交ダンス用姿勢矯正ベルトの右側端末部材付近の拡大図
【図３】人が本考案の社交ダンス用姿勢矯正ベルトを装着している状態を示す斜視図
【図４】本考案の社交ダンス用姿勢矯正ベルトのベルトが交差する箇所に介在させるベルト交差位置調整部材の平面図
【図５】図４のベルト交差位置調整部材にベルトを通した状態を示す拡大平面図
【符号の説明】
【００１８】  １：左側のベルト端末部材
１´：右側のベルト端末部材
２：左側のベルト端末部材に取り付けられたゴムベルト
２´：右側のベルト端末部材に取り付けられたゴムベルト
３：Ｄ型環
４：ベルト交差位置調整部材
５：ゴムベルトの折り返しのめめに設けた横長四角形の環
６、６、…６：紐帯
７、７、…：紐帯の先端に取り付けた、ゴムベルトをズボンの上部と系合させる系合部材
８、８：紐帯６に系合部材７を取り付けるための小さい横長四角形環
９、９：ゴムベルトの折り返し部分をゴムベルト本体に係止させるストッパー
１０：ベルト交差位置調整部材の上方に設けたゴムベルトを通す穴。
１１、１１：ベルト交差位置調整部材の下方左右に設けたゴムベルトを通す穴
【考案を実施するための形態】
【００１９】本考案を実施するための形態を、実施例の図に基づいて説明する。
図１は本考案を実施せる姿勢矯正ベルトの平面図であり、図２は右側端末部材付近の拡大図であり、図３は人が本考案を実施せる姿勢矯正ベルトを装着した状態を示す斜視図であるが、これらの図に示すように、左側のベルト端末部材１に取り付けられたベルト２は中央部でベルト交差位置調整部材４を介して右側の端末部材１´に取り付けられたゴムベルト２´と交差したのち右側のベルト端末部材１´に設けたゴムゴムベルト折り返しのための横長四角形の環５を潜って折り返し、ゴムベルト２の端部に取り付けられた、折り返し部分の端部をテープ本体に係止するためのストッパー９によって、折り返し部分の位置が保持される構造になっている。
【００２０】  上記ストッパー９は市販のサスペンダーのストッパーによくある構成のように、ベルト本体がストッパーである金具の表裏を何回も潜ることによる摩擦により、その位置を保持する構造の物でもよいが、本考案の効果を一層よく発揮するためには、同様に市販のサスペンダーに用いられているような、ベルト本体を強く挟んでストッパーの位置を強固に保持する構造のものが望ましい。
【００２１】  同様に右側のテープ端末部材１´に取り付けられたベルト２´は上記同様に中央部で左側のベルト端末部材１に取り付けられたテープ２と交差したのち上記同様に左側の端末部材１に取り付けられた横長四角形の環５を潜って折り返し、ストッパー９に係止されて保持される。
【００２２】  以上により、左右２本のゴムベルト２、２´は、∞記号の形状に組み合わせられ、左右にそれぞれループを構成することになり、左右の各ループの下部にベルトの端末部材１、１´が位置することになる。
そして左右のベルト端末部材１、１´の下には左右のＤ形環３、３を介して、左右にそれぞれ２個、合計４個の短い紐帯６、６、…を取り付け、該紐帯６、６、…の各先端には該紐帯と系合部材とを結合する小さい横長四角形の環５を介して本考案のゴムベルトとズボンの上部と系合するための系合部材７、７、…を取り付けてある。
すなわち、片方の端末部には各２個の紐帯６が、そして各紐帯の先端にはそれぞれ１個の、ズボンと系合するための系合部材７を取り付けた構造になっている。
【００２３】  上記においてゴムベルトとは、繊維にゴムを織り込んだバンド状の薄く幅のあるベルト状のものであって、市販もされており、長さ方向に伸縮性を有するものである。すなわち、長さ方向に引っ張ることによって伸長し、伸長したゴムベルトは長さ方向に収縮力を生じるものであるから、この収縮力を用いて本考案の目的を奏するものである。
勿論ゴムベルトは上記に限らず、ゴムをそのままベルト状に加工したものでもよい。
【００２４】  ベルト端末部材は、合成皮革等から成る薄い部材であり、ゴムベルト２、２´、紐帯６、６、…、及びゴムベルト折り返しのために設けた横長四角形の環５を取り付けるものをいい、紐帯とはやはり合成皮革等をテープ状にしたもの、又は紐状にしたものをいう。
【００２５】  本考案のベルトとズボンの上部とを系合する系合部材７は、市販のサスペンダーのズボン系合のために用いられているようなクリップでもよいが、本考案の目的から、ズボンの上端を強く銜えこむ構造のものが望ましい。
また上記系合部材７としては、上記クリップに限らず、図示は省略するが上記紐帯をテープ状に構成し、その先端にそれぞれボタン穴を設け、ズボンの上方の両横と、それよりも１０ｃｍ内外の間隔を開けたズボンの後方の上方にそれぞれボタンを取り付け、このボタンと上記ボタン穴とによってゴムベルトとズボンとを系合する構造であってもよい。
【００２６】    図３は人が本考案に係る社交ダンス用姿勢矯正ベルトを装着した状態を示す斜視図であるが、同図に示すようにベルトの交差部分が背中に来るように、ベルトによって構成された左右のループに人の左右の肩を入れ、左右の紐帯６、６、…の先端に取り付けた系合部材７、７…によって、ズボンの左右の横の上部と、それよりも１０ｃｍ内外の間隔を開けたズボンの後ろ部分の上部を、上記∞記号状に組み合わせたゴムベルトと系合させて使用するものである。
上記∞記号の形状に組み合わされたゴムベルトの収縮力によって、人の胸部が反らされることによって猫背に成るのを防ぎ、またズボンとの間の収縮力によって上半身が前屈みになるのを防ぐことにもなる。
【００２７】    図４は人の背中に当たる箇所で、左右のゴムベルト１、１´が交差する部分に介在させたベルト位置調整部材４の平面図であって、薄い板状の金属又はプラスチックから成り、該ベルト位置調整部材４の上方に１個の左右のベルト上方を通す穴１０を、下方の左右に２個のそれぞれゴムベルトの左右下方のゴムベルト通す穴１１、１１を設けてある。
このベルト位置調整部材４の上記各ベルトを通す穴にそれぞれ上記のようにベルトを通して図３のように使用するものである。
このベルト位置調整部材４を設けたことによって、ゴムベルトの左右の収縮力の強さを調整し、安定した状態で使用することができるものである。
【００２８】  なお、ベルト交差位置調整部材４の形状は、必ずしも図示のとおりのものでなくても、要するに上方と左右の下方にゴムベルトを通す穴を有するものであればよく、市販のサスペンダーには三角形の板で周辺だけが有って中央の空いたものを２枚重ね、それによって平面図が図４と同様になる形状の金具を用いたものもあるが、このような物を用いてもよい。
【図１】
0003154075.tif 000003
【図２】
0003154075.tif 000004
【図３】
0003154075.tif 000005
【図４】
0003154075.tif 000006
【図５】
0003154075.tif 000007